(57)【特許請求の範囲】
【請求項１】
面板部と立ち上がり状の左右成形部からなる外装材を用いた棟構造であって、
面板部の棟側端もしくは棟側近傍に起立状の止水部を設け、
止水部より水下側に、水下側の第１面戸材と水上側の第２面戸材の少なくとも２つの面戸材を配し、前記面戸材は、外装材面板部との間に開口部を有すると共に、前記開口部は隣り合う面戸材の開口部と流れ方向において重なり合わない位置に設け、水下側に配設している第１面戸材は、左右の両端に開口部が、略中央に開口部を有しない面戸部を設けたものであり、水上側に配設している第２面戸材は、略中央に開口部が、左右に開口部を有しない略同一幅の面戸部を設けたものであって、この第２面戸材における開口部は、左右の面戸部と略同一幅か又はそれより広く形成され、この第２面戸材及び／又はその開口部周縁は、水返し状に形成されていることを特徴とする縦葺き屋根の棟構造。
【発明の詳細な説明】
【技術分野】
【０００１】
本発明は、軒側からの吹き上げ風と共に雨水等が侵入しようとしても、棟側への侵入を防ぎ、水下側（軒側）へ排出することができる縦葺き屋根の棟構造に関する。
【背景技術】
【０００２】
縦葺き屋根の棟構造（頂部構造）は、主に外装材の棟側端部を上方へ折り曲げて立ち上がりを設け、その立ち上がり部への軒側からの雨水等の侵入防止のために立ち上がりから一定の箇所に「エプロン（面戸）」を設けることで納められ、面戸の設置は次のように行われている。
・面戸下端と外装材表面間に隙間（スリット状の間隔）を設ける方法
・面戸下端等と外装材表面を当接させる方法
【発明の概要】
【発明が解決しようとする課題】
【０００３】
しかしながら、前記面戸下端と外装材表面間に隙間を設ける方法では、面板部を吹き上げられる雨水は隙間から面材の棟側に侵入し易く、強風時等にあっては外装材の立ち上げ部をのり越える恐れがある（図２参照）。
また、前記面戸下端等と外装材表面を当接させる方法では、微細な隙間や外装材等の接続部から浸入した雨水が面戸内（面戸の棟側）に侵入した場合に水の逃げ道がなく水が面戸内に滞留し、立ち上げ部からオーバーフローして漏水事故に繋がる恐れがある。なお、面戸の軒側には吹き上げ風の吹き付けにより気圧が高く、それを上端に乱流を起こして逃がすために面戸の棟側では気圧が低くなる。このように面戸の棟側と軒側に気圧差が生じるため、軒側から雨水を吸い込み易い反面、排出し難い構造となっている。
【０００４】
そこで、本発明は、軒側からの吹き上げ風と共に雨水等が侵入しようとしても、棟側への侵入を防ぎ、水下側（軒側）へ排出することができる縦葺き屋根の棟構造を提案することを目的とする。
【課題を解決するための手段】
【０００５】
本発明は、上記に鑑み提案されたもので、面板部と立ち上がり状の左右成形部からなる外装材を用いた棟構造であって、面板部の棟側端もしくは棟側近傍に起立状の止水部を設け、止水部より水下側に、水下側の第１面戸材と水上側の第２面戸材の少なくとも２つの面戸材を配し、前記面戸材は、外装材面板部との間に開口部を有すると共に、前記開口部は隣り合う面戸材の開口部と流れ方向において重なり合わない位置に設け、水下側に配設している第１面戸材は、左右の両端に開口部が、略中央に開口部を有しない面戸部を設けたものであり、水上側に配設している第２面戸材は、略中央に開口部が、左右に開口部を有しない略同一幅の面戸部を設けたものであって、この第２面戸材における開口部は、左右の面戸部と略同一幅か又はそれより広く形成され、この第２面戸材及び／又はその開口部周縁は、水返し状に形成されていることを特徴とする縦葺き屋根の棟構造に関するものである。
なお、本発明における「流れ方向において重なり合わない」とは、流れ方向における配置が直線状に沿っておらず、流れ方向と直交する方向（左右方向）にずらせた配置を指すものである。
【発明の効果】
【０００７】
本発明の縦葺き屋根の棟構造は、複数設けた面戸材に開口部を設けることで、軒側からの吹き上げ風を棟側へ導くため、面戸材の軒側と棟側とが等圧になり、面戸材の棟側に侵入した雨水等を滞留させることなく水下側（軒側）へ排出することができる。しかも、隣接する面戸材の開口部を流れ方向において重なり合わない位置に設けたことで、水下側の第１面戸材から侵入した雨水等が水上側の第２面戸材で跳ね返され、棟側への侵入を防ぐことができる。
また、第２面戸材及び／又はその開口部周縁は、水返し状に形成されているので、第２面戸材やその開口部周縁に設けた水返し片により、第１面戸材の開口部から侵入した水が廻りにくい。
【図面の簡単な説明】
【０００９】
【図１】本発明の第１実施例の棟構造を示す斜視図である。
【図２】従来例の棟構造を示す斜視図である。
【図３】（ａ）第２面戸材が左右を別体に形成した態様の一実施例（＝第２実施例）を示す斜視図、（ｂ）他の一実施例（＝第３実施例）を示す斜視図である。
【図４】（ａ）第２面戸材が左右を別体に形成した態様の一実施例（＝第４実施例）を示す斜視図、（ｂ）他の一実施例（＝第５実施例）を示す斜視図である。
【図５】（ａ）第２面戸材が左右を別体に形成した態様の一実施例（＝第６実施例）を示す斜視図、（ｂ）第２面戸材が左右一体に形成した態様の他の一実施例（＝第７実施例）を示す斜視図である。
【発明を実施するための形態】
【００１０】
本発明の縦葺き屋根の棟構造は、面板部と立ち上がり状の左右成形部からなる外装材を用いたものであり、面板部の棟側端もしくは棟側近傍に起立状の止水部を設け、止水部より水下側に、水下側の第１面戸材と水上側の第２面戸材の少なくとも２つの面戸材を配し、前記面戸材は、外装材面板部との間に開口部を有すると共に、前記開口部は隣接する面戸材と位相した位置に設けたことを特徴とする。
この構成により、複数設けた面戸材に開口部を設けることで面戸内が外気圧と等圧になり、面戸内に侵入した雨水等を滞留させることなく排出することができる。
また、隣接する面戸材の開口部を流れ方向において重なり合わない位置に設けることで、水下側の第１面戸材から侵入した雨水が水上側の第２面戸材で跳ね返され、棟側への侵入を防ぐことができる。
【００１１】
本発明に用いる外装材は、面板部と立ち上がり状の左右成形部とを備えるものであり、面板部の形状や左右成形部の形状について特に限定するものではないので、縦葺き屋根用の殆どの外装材を適用することができ、このような縦葺き用外装材の面板部の棟側端もしくは棟側近傍に起立状の止水部を設けた構成である。即ちこの止水部は、止水ができるものであれば、外装材の棟側端又は棟側近傍を折り曲げた一体ものでも、別体を棟側端又は棟側近傍に取り付けるものであってもよい。別体の止水部（止水材）の場合にはその形状によって取り付け箇所が異なる。
【００１２】
本発明に用いる面戸材は、前記外装材の止水部の水下側に配設されるものであって、水下側に位置する第１面戸材と水上側に位置する第２面戸材の少なくとも２つからなり、配設した状態で外装材面板部との間に開口部を有する。そして、この開口部は、隣接する面戸材の開口部と流れ方向において重なり合わない位置に設けられる。
【００１３】
開口部が、隣接する面戸材の開口部と流れ方向において重なり合わない位置に設けることについては、前述のように、流れ方向における配置が直線状に沿っておらず、流れ方向と直交する方向（左右方向）にずらせた配置を指す。
具体的には、後述する図示実施例に示すように、一方の面戸材の左端に開口部を設け、他方の面戸材の右端に開口部を設ける態様、一方の面戸材の両端に開口部を設け、他方の面戸材の略中央に開口部を設ける態様などが代表的な態様であるが、それ以外にも例えば一方の面戸材の長さを３等分した位置に開口部を設け、他方の面戸材の長さを４等分した位置に開口部を設ける態様などどのように配設してもよい。
【００１４】
また、面戸材の開口部は、面板部との間を上下方向に一定間隔で離間させるものでもよいし、面戸材の下方に切り欠き等によって開口部を設けるものでもよく、面戸材より水上側に侵入した水を速やかに水下側へ流下（排出）できるものであれば特にその大きさや形状、位置等を限定するものではない。
そして、この開口部は、軒側からの吹き上げ風を棟側へ導くため、前述の従来構成において生じていたような気圧差を生ずることが無く、面戸材の軒側と棟側とが等圧になるため、圧力差による吸い込みも防ぐことができる。また、この開口部は、雨水や侵入水の流下を妨げないように、下端（底部）に設けられる。
【００１５】
なお、前述の面板部との間を上下方向に離間させて開口部を設ける仕様は、開口部以外の箇所に定形、不定形のシール材（止水材）等を配することで面板部との間を閉塞して形成すればよい。
また、面戸材の下端に切り欠き等によって開口部を設ける仕様においても、開口部以外の箇所の下端は、外装材の面板部と当接であっても、接着、或いは弾性的に押圧されるものでもよく、さらに定形、不定形のシール材（止水材）等によって隙間を塞ぐものでもよく、雨水等の侵入を防止できるものであれば特に限定するものではない。
【００１６】
この面戸材は、第１面戸材及び第２面戸材を一体に形成、即ち一枚の板材にて第１面戸材（部）と第２面材（部）を形成してもよいし、第１面戸材、第２面戸材のそれぞれが単一部材（一枚の板材を加工したもの）からなるものであっても、複数の部材を組み合わせたものであってもよい。
特に水上側に配置させる第２面戸材は、後述する図示実施例に示すように左右を別体に形成し、それぞれの中央側を離間させることで開口部としてもよい。また、図示実施例においては、左右同位置に配設されているが、第２面戸材の左右を軒棟方向（流れ方向）にずらしてもよい。
【００１７】
また、第２面戸材やその開口部周縁は、水返し状に形成してもよい。即ち水返しは、開口部の周辺に設けられるものであっても、第２面戸材が水返し状に成形されるものであってもよい。
ここでいう水返しとは、第２面戸材の開口部に水が廻りにくい構造を指すものであって、後述する図示実施例の第１実施例では、第２面戸材の開口部周縁に、水下側へ延出する水返し片を設けたので、第１面戸材の開口部から侵入した水が廻りにくい。また、後述する図示実施例の第２，３実施例では、第２面戸材が水返し状に成形されているので、第２面戸材によって跳ね返され、第１面戸材の開口部から侵入した水が廻りにくい。
【実施例１】
【００１８】
図１に示す本発明の第１実施例の棟構造は、面板部１１と立ち上がり状の左右成形部１２，１２からなる外装材１を用いたものであり、面板部１１の棟側端に起立状の止水部１３を設け、該止水部１３より水下側に、雨水等の侵入防止の目的で面戸を設ける点では前述の従来の構造と共通する。
なお、前記外装材１は、図示しない流れ方向に沿う支持部材（縦桟材）に隣接する外装材１，１の左右成形部１２，１２を沿わせて断面矩形状の縦桟部１４を形成して敷設されたものである。また、棟包み、棟包み固定材等は部分的に図示省略している。
そして、本発明の特徴は、前記止水部１３より水下側に、水下側の第１面戸材２Ａと水上側の第２面戸材３Ａの２つの面戸材２Ａ，３Ａを配し、これらの面戸材２Ａ，３Ａは、外装材１面板部１１との間に開口部２１，３１を有すると共に、前記開口部２１，３１は隣接する面戸材３Ａ，２Ａの開口部３１，２１と流れ方向において重なり合わない位置に設けた。
【００１９】
この第１実施例では、第１面戸材２Ａ及び第２面戸材３Ａは、略短冊状の板状材である単一部材からなり、水下側に配設している第１面戸材２Ａは、下端に切り欠き等にて設けた略矩形状の開口部（以下、第１開口部という）２１，２１が左右の両端に設けられ、水上側に配設している第２面戸材３Ａは、下端に切り欠き等にて設けた略矩形状の開口部３１（以下、第２開口部という）が略中央に設けられ、これらの第１開口部２１，２１と第２開口部３１とは、流れ方向において重なり合わない位置に設けられている。
また、各面戸材２Ａ，３Ａの下端（開口部２１，３１以外の箇所）には、定形のシール材（止水材）５を配して前記外装材１の面板部１１との隙間を塞いでいる。
さらに、前記第２面戸材３Ａの第２開口部３１の左右端縁には、水下側へ延出する略三角形状の水返し片３２，３２が設けられている。
【００２０】
比較のために示した図２の棟構造は、面戸材４の略中央の下端と、外装材１の面板部１１間に隙間（スリット状の間隔）４１が設けられた従来構造であり、例えば外装材１の構成等については前記第１実施例と全く同様であるから図面の同一符号を付して説明を省略する。
【００２１】
これらの棟構造に対し、軒側からの吹き上げ風によって雨水等が侵入しようとする流れを二点鎖線による矢印にて各図に示した。
図１の本発明の第１実施例では、外装材１の面板部１１上を、軒側から吹き上げ風と共に雨水等が流れ、縦桟部１４の両側に位置する第１面戸材２Ａの第１開口部２１，２１から棟側へ侵入するが、第２面戸材３Ａで跳ね返され、それ以上の棟側への侵入を防ぐことができる。
しかも、短時間に多量の雨水等が第１開口部２１から侵入した場合には、跳ね返しきれない余剰の雨水等は第１面戸材２Ａと第２面戸材３Ａとの間に滞留することになるが、この第１実施例では、第２開口部３１の左右に水返し片３２，３２が設けられているため、第２開口部３１に水が廻り込みにくいものである。
【００２２】
これに対し、図２の比較例では、面戸材４の軒側には吹き上げ風の吹き付けにより気圧が高く、それを上端に乱流を起こして逃がすために面戸材４の棟側では気圧が低くなり、この気圧差により、スリット状の間隔４１から雨水等が容易に吸い込み易く、しかも排出し難い構造となっている。そのため、二点鎖線による矢印に示すように外装材１の立ち上げ状の止水部１３をのり越えてしまう恐れがある。或いは面戸材４と止水部１３間に雨水等が滞留して止水部１３からオーバーフローして漏水事故に繋がる恐れがある。
なお、本発明の第１実施例では、二つの面戸材２Ａ，３Ａのそれぞれに開口部２１，３１を設けることで、軒側からの吹き上げ風を棟側へ導くため、面戸材２Ａ，３Ａの軒側と棟側とが等圧になり、上述の比較例のような気圧差を生じない。
【００２３】
図３（ａ）に示す第２実施例、及び図３（ｂ）に示す第３実施例は、何れも水上側に配置させる第２面戸材３Ｂ，３Ｃが、左右を別体に形成したものであって、それぞれの中央側を離間させることで第２開口部３１とした構成である。
また、これらの第２、第３実施例における第１面戸材２Ｂ，２Ｃは、前記第１実施例における第１面戸材２Ａとほぼ同様の構成であって、下端に切り欠き等にて設けた略矩形状の開口部２１，２１が左右の両端に設けられる構成である。
しかも、これらの実施例では何れも第２面戸材３Ｂ，３Ｃが水返し状に成形されているため、第１面戸材２Ｂ，２Ｃの第１開口部２１，２１から侵入した雨水等は、第２面戸材３Ｂ，３Ｃによって跳ね返され、しかも水返し（３３，３４）により第２開口部３１に廻りにくい。
なお、第２実施例における第２面戸材３Ｂは、左右略対称状の別体に、それそれ湾曲状の水返し部３３が形成され、第３実施例における第２面戸材３Ｃは、略直角に折り曲げて水返し部３４が形成されている点で相違する。
【００２４】
図４（ａ）に示す第４実施例、及び図４（ｂ）に示す第５実施例は、水上側に配置させる第２面戸材３Ｄ，３Ｅが、左右を別体に形成したものであり、それぞれの中央側を離間させることで第２開口部３１'とした点、第１面戸材２Ｄ，２Ｅは、前記第１実施例における第１面戸材２Ａとほぼ同様の構成である点、第２面戸材３Ｄ，３Ｅが湾曲状（３３）又は直角状（３４）の水返し状に成形される点において、前記図３（ａ），（ｂ）の第２実施例，第３実施例の第２面戸材３Ｂ，３Ｃとそれぞれ共通する。
これらの第４，５実施例における第２面戸材３Ｄ，３Ｅは、前記図３（ａ），（ｂ）の第２実施例，第３実施例の第２面戸材３Ｂ，３Ｃに比べて短幅であり、それらの中央側を離間させて形成される第２開口部３１'は、前記第２実施例，第３実施例の第２開口部３１よりも明らかに広幅に形成される。そのため、これらの第４，５実施例における第１面戸材２Ｄ，２Ｅと第２面戸材３Ｄ，３Ｅとで形成される略閉鎖状の空間６の容量（容積）は、前記第２実施例，第３実施例に比べて明らかに小さい。
したがって、これらの第４，５実施例では、短時間に多量の雨水等が第１開口部２１から侵入した場合に、跳ね返しきれない滞留される雨水等が空間６の容量を超えると、第２開口部３１'に廻り込む場合もある。しかし、この小さい空間６に滞留される雨水等は、重力により押し出される力が大きいため、一部は第２開口部３１'に廻り込んでも、殆どの雨水等は第１開口部２１から水下側へ押し出され、第２開口部３１'に廻り込んだ一部の雨水等も第２開口部３１'の水下端に至っているに過ぎないため、それ以上に棟側へ侵入することはない。
【００２５】
図５（ａ）に示す第６実施例は、第１面戸材（部）２Ｆ及び第２面戸材（部）３Ｆを下方が開放している略コ字状の板材にて形成しているが、第１面戸材２Ｆに設けた第１開口部２１は左端に設けられ、第２面戸材３Ｆに設けられた第２開口部３１は右端に設けられている構成である。即ちこの実施例では、一枚の板材にて第１面戸材（部）２Ｆと第２面材（部）３Ｆと上面部３５とで囲まれる空間７を形成した構成である。
このように形成された開口部２１，３１は、他の実施例と同様に流れ方向において重なり合わない位置に設けられているため、他の実施例と同様に第１面戸材２Ｆの第１開口部２１から棟側へ侵入した雨水等は、ｌ第２面戸材３Ａで跳ね返され、それ以上の棟側への侵入を防ぐことができる。
しかも、短時間に多量の雨水等が第１開口部２１から侵入した場合には、跳ね返しきれない余剰の雨水等は第１面戸材２Ｆと第２面戸材３Ｆとの間に滞留することになるが、この第６実施例では、第１開口部２１と第２開口部３１とがそれぞれ異なる端部に位置し、最も離反しているため、第２開口部３１に水が廻り込みにくいものである。
【００２６】
図５（ｂ）に示す第７実施例は、前記図４（ｂ）の第５実施例とほぼ同様に第２面戸材３Ｇの中央側に直角状の水返し部３４を形成して第１面戸材２Ｇとの間に空間６が形成される点では共通するが、前記第５実施例では水返し部３４の先端が第１面戸材２Ｅと離間しているのに対し、この第７実施例では水返し部３４の先端が第１面戸材２Ｇに当接し、その下方に略矩形状の開口部分３４１が形成されることで第２開口部３１と繋がっている。また、この第７実施例では、前記図５（ａ）の第６実施例とほぼ同様に、一枚の板材にて第１面戸材（部）２Ｇと第２面材（部）３Ｇ，３Ｇとが形成される構成であり、正確には、一枚の板材にて第１面戸材（部）２Ｇと第２面材（部）３Ｇ，３Ｇと上面部３５，３５とで囲まれる空間６，６を形成する構成である。また、空間６の上方を覆う上面部３５は、図示するような上方全部を覆うものでも、水下側への水返し状に設けてもよく、雨水の飛び越え防止としての幅を有するものであればよい。
この第７実施例では、前記第５実施例と同様の効果を果たすことができ、実質的に開口部分３４１も第２開口部３１の一部と見なすことができる。
【符号の説明】
【００２７】
１  外装材
１１  面板部
１２  成形部
１３  止水部
２Ａ〜２Ｇ  第１面戸材
２１  第１開口部
３Ａ〜３Ｇ  第２面戸材
３１  第２開口部
３２  水返し片
３３、３４  水返し部
３５  上面部
４  （従来の）面戸材
５  シール材（止水材）
６  空間
【図１】
0006312977.tif 000002
【図２】
0006312977.tif 000003
【図３】
0006312977.tif 000004
【図４】
0006312977.tif 000005
【図５】
0006312977.tif 000006